(57)【要約】要約課題  閉塞部材を簡単に移動でき、また、弾性シール材の耐久性を高める上で有利な換気装置を提供すること。解決手段  操作つまみ４３の回転操作で閉塞部材２０が閉塞位置（ＣＰ）から開放位置（ＯＰ）へ移動するとき、閉塞部材２０は、当該開放移動の初期段階では密封表面２００４Ａと口縁部１８Ａとの間の間隔Ｓを広げつつ閉塞位置（ＣＰ）から開放位置（ＯＰ）へ向かって移動し、その後は密封表面２００４Ａと口縁部１８Ａとの間の間隔Ｓを一定に維持しつつ移動して開放位置（ＯＰ）に到達する。閉塞部材２０が開放位置（ＯＰ）から閉塞位置（ＣＰ）へ移動するとき、閉塞部材２０が、当該閉塞移動の最終段階に至るまでは前記間隔Ｓを一定に維持しつつ平面Ｐに沿って移動し、最終段階では前記間隔Ｓを縮小して閉塞位置（ＣＰ）に到達し、密封表面２００４Ａを口縁部１８Ａに押し付ける。選択図  図５
2009069525.tif 000002
【特許請求の範囲】
【請求項１】
換気のための空気を通過させることのできる開口を有するハウジングと、
前記ハウジング内に配設された、前記開口を閉塞するための閉塞部材と、
前記閉塞部材を、前記開口を開放する開放位置と前記開口を閉塞する閉塞位置との間で移動させるための操作機構と、
を備えた換気装置において、
前記開口は、弾性シール材により画成され平面内を延在する口縁部を有しており、
前記閉塞部材は、前記閉塞位置にあるときに前記口縁部に密接して前記開口を閉塞する平坦な密封表面を有しており、
前記操作機構は、前記閉塞部材を駆動する駆動機構と、前記駆動機構により駆動されて発生する前記開放位置と前記閉塞位置との間の前記閉塞部材の移動を案内する案内機構とを備えており、
前記案内機構は、
（１）前記閉塞部材が前記駆動機構に駆動されて前記閉塞位置から前記開放位置へ移動するとき、前記閉塞部材が、当該開放移動の初期段階では前記密封表面と前記口縁部との間の間隔を広げつつ前記閉塞位置から前記開放位置へ向かって移動し、その後は前記密封表面と前記口縁部との間の間隔を一定に維持しつつ移動して前記開放位置に到達するように前記閉塞部材を案内し、且つ、
（２）前記閉塞部材が前記駆動機構に駆動されて前記開放位置から前記閉塞位置へ移動するとき、前記閉塞部材が、当該閉塞移動の最終段階に至るまでは前記密封表面と前記口縁部との間の間隔を一定に維持しつつ前記平面に沿って移動し、最終段階では前記密封表面と前記口縁部との間の間隔を縮小して前記閉塞位置に到達するように前記閉塞部材を案内する、
ことを特徴とする換気装置。
【請求項２】
前記案内機構は、
前記ハウジングと前記閉塞部材との一方に設けられ、前記ハウジングと前記閉塞部材との他方と係合可能で、前記平面に対して傾斜して延在している第１カム面と、
前記ハウジングと前記閉塞部材との一方に設けられ、前記ハウジングと前記閉塞部材との他方と係合可能で、前記平面に対して平行に延在している第２カム面と、
前記第１カム面及び前記第２カム面を介して前記閉塞部材を前記ハウジングに押付けるように付勢する付勢機構とを備えており、
前記閉塞部材が前記開放位置と前記閉塞位置との間で移動する際に、前記第１カム面による前記閉塞部材の案内と、前記第２カム面による前記閉塞部材の案内とが、交替するように構成されている、
ことを特徴とする請求項１記載の換気装置。
【請求項３】
前記駆動機構は、
前記ハウジングに取付けられた操作ハンドルと、
該ハンドル部材と前記閉塞部材とを連結しているリンク機構とを備え、
ユーザが前記操作ハンドルを手動操作することで、前記閉塞部材が駆動されるように構成されている、
ことを特徴とする請求項２記載の換気装置。
【請求項４】
前記操作ハンドルは、前記ハウジングに回転可能に取付けられた操作つまみであり、
前記リンク機構は、
前記操作つまみに取付けられて該操作つまみと一体に回転するピニオンと、
前記ピニオンに噛合しているラックと、
前記閉塞部材の移動方向と直交する方向に摺動可能に前記ハウジングに支持され、前記ラックが取付けられ、前記操作つまみの回転動作に応じて往復運動をする摺動部材と、
前記ハウジングに形成された、前記閉塞部材の移動方向に延在する長孔と、
前記閉塞部材に突設された、前記長孔に挿通され該長孔の長手方向に摺動可能なガイドピンと、
前記摺動部材と前記ガイドピンとに両端が枢着され、前記摺動部材の移動に応じて前記閉塞部材を移動させるリンクアームとを備えており、
前記閉塞部材は、前記操作つまみが第１回転位置にあるとき前記閉塞位置にあり、前記操作つまみが第２回転位置にあるとき前記開放位置にある、
ことを特徴とする請求項３記載の換気装置。
【請求項５】
前記操作ハンドルは、前記ハウジングに揺動可能に取付けられた起立倒伏可能な操作レバーであり、
前記リンク機構は、
前記閉塞部材の移動方向と直交する方向に摺動可能に前記ハウジングに支持され、連結アームを介して前記操作レバーに連結され、前記操作レバーの起立倒伏動作に応じて往復運動をする摺動部材と、
前記ハウジングに形成された、前記閉塞部材の移動方向に延在する長孔と、
前記閉塞部材に突設された、前記長孔に挿通され該長孔の長手方向に摺動可能なガイドピンと、
前記摺動部材と前記ガイドピンとに両端が枢着され、前記摺動部材の移動に応じて前記閉塞部材を移動させるリンクアームとを備えており、
前記閉塞部材は、前記操作レバーが倒伏位置にあるとき前記閉塞位置にあり、前記操作レバーが起立位置にあるとき前記開放位置にある、
ことを特徴とする請求項３記載の換気装置。
【請求項６】
前記リンクアームはロッド形状に形成されて長手方向軸心を有しており、
前記リンクアームの前記長手方向軸心の延在方向と前記摺動部材の移動方向とがなす角度は、前記閉塞部材が前記閉塞位置にあるとき直角に近い角度となり、前記閉塞部材が前記閉塞位置から前記開放位置に至るにつれて次第に小さくなる、
ことを特徴とする請求項４または５記載の換気装置。
【請求項７】
前記ハウジングは建物の嵌め殺し窓の窓枠に組込むのに適した細長い略々直方体の形状を有することを特徴とする請求項１記載の換気装置。
【請求項８】
前記開口は、細長い長方形の形状であって長さと幅とを有しており、前記開口の長手方向は前記ハウジングの長手方向に一致しており、
前記閉塞部材は、細長い長方形の形状であって長さと幅とを有しており、前記閉塞部材の長手方向は前記ハウジングの長手方向に一致しており、
前記閉塞部材の移動方向は該閉塞部材の幅方向である、
ことを特徴とする請求項７記載の換気装置。
【発明の詳細な説明】
【技術分野】
【０００１】
本発明は、室外に連通する換気孔の室内側開口を、閉塞部材を移動させることで開閉する換気装置に関する。
【背景技術】
【０００２】
換気装置として、室内に配置され室外に連通する換気孔の室内側開口が設けられたハウジングを備え、前記ハウジング内で閉塞部材が前記室内側開口の上方を移動することで前記室内側開口を開閉する形式のものが知られている。【０００３】
この種の換気装置では、室内側開口の縁部に弾性シール材を設けておき、室内側開口を閉塞したときに室内側開口を通して空気が流通しないように、室内側開口を閉塞する閉塞部材の閉塞位置で、閉塞部材を弾性シール材に弾接し、室内側開口を気密に閉塞するようにしている。
従来、この弾性シール材は、閉塞部材の移動方向と直交する方向に延在しており、室内側開口の開閉時に閉塞部材が移動する際に、閉塞部材が弾性シール材に常時接触している（特許文献１）。
【特許文献１】特開平７−２７９５５３
【発明の開示】
【発明が解決しようとする課題】
【０００４】
そのため従来の換気装置では、閉塞部材を移動させるために大きな力を要し、閉塞部材を簡単に移動させることができない不具合があった。
また、閉塞部材が弾性シール材に常時接触しているため、弾性シール材の耐久性に劣る不具合があった。
本発明者は前記事情に鑑み案出されたものであって、本発明の目的は、閉塞部材を簡単に移動でき、また、弾性シール材の耐久性を高める上で有利な換気装置を提供することにある。
【課題を解決するための手段】
【０００５】
前記目的を達成するため本発明は、換気のための空気を通過させることのできる開口を有するハウジングと、前記ハウジング内に配設された、前記開口を閉塞するための閉塞部材と、前記閉塞部材を、前記開口を開放する開放位置と前記開口を閉塞する閉塞位置との間で移動させるための操作機構とを備えた換気装置において、前記開口は、弾性シール材により画成され平面内を延在する口縁部を有しており、前記閉塞部材は、前記閉塞位置にあるときに前記口縁部に密接して前記開口を閉塞する平坦な密封表面を有しており、前記操作機構は、前記閉塞部材を駆動する駆動機構と、前記駆動機構により駆動されて発生する前記開放位置と前記閉塞位置との間の前記閉塞部材の移動を案内する案内機構とを備えている。
そして、前記案内機構は、（１）前記閉塞部材が前記駆動機構に駆動されて前記閉塞位置から前記開放位置へ移動するとき、前記閉塞部材が、当該開放移動の初期段階では前記密封表面と前記口縁部との間の間隔を広げつつ前記閉塞位置から前記開放位置へ向かって移動し、その後は前記密封表面と前記口縁部との間の間隔を一定に維持しつつ移動して前記開放位置に到達するように前記閉塞部材を案内し、且つ、（２）前記閉塞部材が前記駆動機構に駆動されて前記開放位置から前記閉塞位置へ移動するとき、前記閉塞部材が、当該閉塞移動の最終段階に至るまでは前記密封表面と前記口縁部との間の間隔を一定に維持しつつ前記平面に沿って移動し、最終段階では前記密封表面と前記口縁部との間の間隔を縮小して前記閉塞位置に到達するように前記閉塞部材を案内することを特徴とする。
【発明の効果】
【０００６】
本発明によれば、室内側開口の開放時には、その初期段階のみ閉塞部材が弾性シール材に接触し、また、室内側開口の閉塞時には、その最終段階のみ閉塞部材が弾性シール材に接触するので、閉塞部材を開放位置と閉塞位置との間で移動させるに際して従来のような大きな力を要せず、小さな力で閉塞部材を簡単に移動でき、また、従来のように閉塞部材と弾性シール材とは常時接触しないため弾性シール材の耐久性を高める上でも有利となる。
【発明を実施するための最良の形態】
【０００７】
以下、本発明の実施の形態を説明する。
まず、第１の実施の形態から図１乃至図７を参照して説明する。
図１において、２は窓ガラス、４は建物躯体を示しており、窓ガラス２の下部に換気装置１０が設けられている。【０００８】
換気装置１０は、室内に配置され換気孔１２の室内側開口１４が設けられたハウジング１６と、室内側開口１４の縁に装着される弾性シール材（気密材）１８と、室内側開口１４を開閉する閉塞部材２０と、閉塞部材２０を、室内側開口１４から退避し室内側開口１４を開放する開放位置（ＯＰ）と、室内側開口１４を閉塞する閉塞位置（ＣＰ）との間で移動させるための操作機構２３を含んで構成されている。
また、操作機構２３は、閉塞部材２０を駆動する駆動機構２４と、駆動機構２４により駆動されて発生する開放位置（ＯＰ）と閉塞位置（ＣＰ）との間の閉塞部材２０の移動を案内する案内機構２５とを備えている。【０００９】
換気孔１２は、室外に開口する室外側開口１２Ａを有し、室内外を連通しており、室内側開口１４は、換気のための空気を通過させることのできる開口である。
図４乃至図６、図２、図３に示すように、ハウジング１６は建物の嵌め殺し窓の窓枠に組込むのに適した細長い略々直方体の形状を有している。
ハウジング１６は、直方体枠状のフレーム３２と、フレーム３２の上部開口を閉塞する上板３４などを備え、図２、図３に示すように、上板３４には換気を行なうための多数のスリット３６が形成されている。なお、室外側開口１２Ａや、スリット３６が位置する上板３４の下面に防虫網を設けるなど任意である。
図４乃至図６に示すように、フレーム３２の底板３８は水平に延在しており、室内側開口１４はこの底板３８に形成されている。したがって、本実施の形態では、室内側開口１４は水平面上に位置し、換気孔１２を通り室外から室内に向かう空気は、室内側開口１４では下方から上方に流れ、室内から室外に向かう空気は、室内側開口１４では上方から下方に流れる。
室内側開口１４は、細長い長方形の形状であって長さと幅とを有しており、室内側開口１４の長手方向はハウジング１６の長手方向に一致している。
弾性シール材１８は底板３８の上方に膨出する部分を有しており、この部分は、弾性シール材８により画成され平面Ｐ（図６参照）内を延在する口縁部１８Ａに形成され、したがって、室内側開口１４は口縁部１８Ａを有している。
室内側開口１４を形成する２つの長辺のうち、閉塞部材２０が閉塞位置（ＣＰ）から開放位置（ＯＰ）方向に向かう方向における端部に位置する長辺の外側に位置するフレーム３２の箇所に突起３２１０が形成されている。【００１０】
閉塞部材２０は、ハウジング１６内に配設され、細長い長方形の形状であって長さと幅とを有しており、閉塞部材２０の長手方向はハウジング１６の長手方向に一致しており、閉塞部材２０の移動方向は該閉塞部材２０の幅方向である。
図４乃至図６に示すように、閉塞部材２０は中空状で、互いに平行する上壁２００２と下壁２００４とを有している。
下壁２００４の下面は、閉塞部材２０が閉塞位置（ＣＰ）にあるときに口縁部１８Ａに密接して室内側開口１４を閉塞する平坦な密封表面２００４Ａに形成されている。
閉塞部材２０の長辺方向に間隔をおいた上壁２００２の２箇所にそれぞれガイドピン４０が突設されている。
閉塞部材２０の２つの長辺のうちの一方の長辺部分に、下壁２００４の部分が上壁２００２よりも短辺方向の外側に突出した係合突部２０１０が形成されている。
また、２つの長辺のうちの他方の長辺をなす下壁２００４の部分は、上壁２００２の部分よりも短辺方向の外側に突出しており、その下面に係合片２０１２が突設されている。【００１１】
ガイド板２６は、ハウジング１６内で閉塞部材２０の上方に室内側開口１４の短辺方向と平行する方向に延在しており、図２、図３に示すように、ガイド板２６は、室内側開口１４の長辺方向に間隔をおいて２つ設けられている。
ガイド板２６に、閉塞部材２０の移動方向である室内側開口１４の短辺方向と平行する方向に長孔４２が延在形成され、この長孔４２にはガイドピン４０が長孔４２の長手方向に摺動可能に挿入されている。
ガイドピン４０が長孔４２内を摺動することで、閉塞部材２０は室内側開口１４の短辺方向に移動可能に案内される。【００１２】
駆動機構２４は、ハウジング１６に取付けられた操作ハンドルである操作つまみ４３と、操作つまみ４３と閉塞部材２０とを連結しているリンク機構５１とを備え、ユーザが操作つまみ４３を手動操作することで閉塞部材２０が駆動されるように構成されている。
また、リンク機構５１は、ピニオン４４、ラック４６、摺動部材４８、リンクアーム５０、ガイドピン４０、長孔４２を含んで構成されている。
操作つまみ４３は、ハウジング１６内で上板３４の凹部上に回転可能に取り付けられる。
図４に示すように、ピニオン４４は、操作つまみ４３の下部に操作つまみ４３と一体に回転するように取り付けられる。【００１３】
摺動部材４８は、室内側開口１４の長辺と平行する方向に延在し、フレーム３２のガイド３２０２に室内側開口１４の長辺と平行する方向に摺動可能に支持され、すなわち、閉塞部材２０の移動方向と直交する方向に摺動可能に支持されている。
ラック４６は摺動部材４８に取着されピニオン４４に噛合しており、したがって、摺動部材４８は、操作つまみ４３の回転動作に応じて往復運動をする。
リンクアーム５０は、摺動部材４８とガイドピン４０とに両端が枢着され、摺動部材４８の移動に応じて閉塞部材２０を移動させる。
より詳細には、リンクアーム５０は２つ設けられ、各リンクアーム５０の一端は、摺動部材４８の長手方向に間隔をおいた２箇所に軸４８０２を介して回転可能に連結される。また、各リンクアーム５０の他端は、ガイド板２６の上面に接触するように配置され長孔４２から突出するガイドピン４０に回転可能に連結される。
そして、図２（Ａ）に示す操作つまみ４３の第１回転位置で、閉塞部材２０を閉塞位置（ＣＰ）に位置させ、また、図３（Ａ）に示す操作つまみ４３の第２回転位置で開放位置（ＯＰ）に位置させる。
本実施の形態では、リンクアーム５０はロッド形状に形成されて長手方向軸心を有しており、リンクアーム５０の長手方向軸心の延在方向と摺動部材４８の移動方向とがなす角度θは、閉塞部材２０が閉塞位置（ＣＰ）にあるとき直角に近い角度となり、閉塞部材２０が閉塞位置（ＣＰ）から開放位置（ＯＰ）に至るにつれて次第に小さくなる。【００１４】
案内機構２５は、第１カム面３０と、第２カム面３１と、付勢機構２８とを備えている。
第１カム面３０は、ハウジング側カム面３０Ａと閉塞部材側カム面３０Ｂとを備えている。
ハウジング側カム面３０Ａは、室内側開口１４を形成する２つの長辺のうち、閉塞部材２０が開放位置（ＯＰ）から閉塞位置（ＣＰ）に向かう方向における端部に位置する長辺の上方のフレーム３２の箇所に設けられ、平面Ｐに対して傾斜する傾斜面で形成されている。
ハウジング側カム面３０Ａは、閉塞部材２０の係合凸部２０１０に係合可能である。
閉塞部材側カム面３０Ｂは、閉塞部材２０の係合片２０１２の内面に平面Ｐに対して傾斜する傾斜面で形成されている。
閉塞部材側カム面３０Ｂは、フレーム３２の突起３２１０に係合可能である。
このように本実施の形態では、第１カム面３０により、閉塞部材２０の２つの長辺部分を案内するように構成され、室内側開口１４の開閉時における閉塞部材２０の動きの安定化が図られている。
第２カム面３１は、ガイド板２６の下面に形成され、第２カム面３１は、平面Ｐに対して平行に延在している。
そして、図６に示すように、閉塞部材２０がガイド板２６の第２カム面３１に当接した状態で、閉塞部材２０の密封表面２００４Ａと弾性シール材１８の口縁部１８Ａとの間に上下方向の間隔Ｓが確保される。【００１５】
付勢機構２８は、第１カム面３０及び第２カム面３１を介して閉塞部材２０をハウジング１６に押付けるように付勢している。
より詳細に説明すると、付勢機構２８は、ガイドピン４０とコイルスプリング２８Ａを含んで構成されている。
コイルスプリング２８Ａは、各ガイドピン４０の外周でガイドピン４０の頭部とリンクアーム５０の一端との間に巻装され、ガイド板２６およびリンクアーム５０の一端に対してガイドピン４０を上方に付勢している。
そして、閉塞部材２０が閉塞位置（ＣＰ）から開放位置（ＯＰ）へ向かって移動する際の初期段階で、付勢機構２８により、閉塞部材２０の係合凸部２０１０がハウジング側カム面３０Ａに係合され、閉塞部材側カム面３０Ｂがフレーム３２の突起３２１０に係合され、その後、それらの係合が解除され、閉塞部材２０の上壁２００２の上面が第２カム面３１に当接されて開放位置（ＯＰ）に至る。
すなわち、案内機構２５は、閉塞部材２０が閉塞位置（ＣＰ）から開放位置（ＯＰ）へ移動する際に、第１カム面３０による閉塞部材２０の案内と、第２カム面３１による閉塞部材２０の案内とが、交替するように構成されている。
したがって、案内機構２５は、閉塞部材２０が駆動機構２４に駆動されて閉塞位置（ＣＰ）から開放位置（ＯＰ）へ移動するとき、閉塞部材２０が、当該開放移動の初期段階では密封表面２００４Ａと口縁部１８Ａとの間の間隔Ｓを広げつつ閉塞位置（ＣＰ）から開放位置（ＯＰ）へ向かって移動し、その後は密封表面２００４Ａと口縁部１８Ａとの間の間隔Ｓを一定に維持しつつ移動して開放位置（ＯＰ）に到達するように閉塞部材２０を案内する。【００１６】
また、閉塞部材２０が開放位置（ＯＰ）から閉塞位置（ＣＰ）へ移動する際、付勢機構２８により、閉塞部材２０の上壁２００２の上面が第２カム面３１に当接され、最終段階で、前記の当接が解除され、閉塞部材２０の係合凸部２０１０がハウジング側カム面３０Ａに係合され、閉塞部材側カム面３０Ｂがフレーム３２の突起３２１０に係合されて閉塞位置（ＣＰ）に至る。
すなわち、案内機構２５は、閉塞部材２０が開放位置（ＯＰ）から閉塞位置（ＣＰ）へ移動する際に、第１カム面３０による閉塞部材２０の案内と、第２カム面３１による閉塞部材２０の案内とが、交替するように構成されている。
したがって、案内機構２５は、閉塞部材２０が駆動機構２４に駆動されて開放位置（ＯＰ）から閉塞位置（ＣＰ）へ移動するとき、閉塞部材２０が、当該閉塞移動の最終段階に至るまでは密封表面２００４Ａと口縁部１８Ａとの間の間隔Ｓを一定に維持しつつ平面Ｐに沿って移動し、最終段階では密封表面２００４Ａと口縁部１８Ａとの間の間隔Ｓを縮小して閉塞位置（ＣＰ）に到達するように閉塞部材２０を案内する。
なお、第１カム面３０は、ハウジング１６と閉塞部材２０との一方に、ハウジング１６と閉塞部材２０との他方と係合可能に、平面Ｐに対して傾斜して延在するように設けられればよい。
また、第２カム面３１は、ハウジング１６と閉塞部材２０との一方に、ハウジング１６と閉塞部材２０との他方と係合可能に、平面Ｐに対して平行に延在するように設けられればよい。
すなわち、第１カム面３０と第２カム面３１は、ハウジング１６と閉塞部材２０との一方に、ハウジング１６と閉塞部材２０との他方と係合可能に設けられればよく、実施の形態の構造に限定されず、従来公知の様々な係合構造が採用可能である。【００１７】
第１の実施の形態によれば、操作つまみ４３を回転操作すると、図７（Ａ）、（Ｂ）に示すように、駆動機構２４および案内機構２５を介して閉塞部材２０が開放位置（ＯＰ）と閉塞位置（ＣＰ）との間で駆動される。
そして、閉塞部材２０が閉塞位置（ＣＰ）から開放位置（ＯＰ）へ移動するとき、閉塞部材２０は、当該開放移動の初期段階では密封表面２００４Ａと口縁部１８Ａとの間の間隔Ｓを広げつつ閉塞位置（ＣＰ）から開放位置（ＯＰ）へ向かって移動し、その後は密封表面２００４Ａと口縁部１８Ａとの間の間隔Ｓを一定に維持しつつ移動して開放位置（ＯＰ）に到達する。
また、閉塞部材２０が開放位置（ＯＰ）から閉塞位置（ＣＰ）へ移動するとき、閉塞部材２０が、当該閉塞移動の最終段階に至るまでは密封表面２００４Ａと口縁部１８Ａとの間の間隔Ｓを一定に維持しつつ平面Ｐに沿って移動し、最終段階では密封表面２００４Ａと口縁部１８Ａとの間の間隔Ｓを縮小して閉塞位置（ＣＰ）に到達し、密封表面２００４Ａを口縁部１８Ａに押し付ける。
したがって、閉塞部材２０を閉塞位置（ＣＰ）から開放位置（ＯＰ）へ移動させる開放操作時には、初期段階を除いて閉塞部材２０と弾性シール材１８は接触することがない。また、閉塞部材２０を開放位置（ＯＰ）から閉塞位置（ＣＰ）移動させる閉塞操作時には、最終段階を除いて閉塞部材２０と弾性シール材１８は接触することがない。
そのため、小さい力で操作つまみ４３を回転操作でき、室内側開口１４の開閉を簡単に行うことができる。
また、閉塞部材２０の移動時に、弾性シール材１８と閉塞部材２０とは常時接触することがないので、弾性シール材１８の耐久性を高める上でも有利となる。【００１８】
また、リンクアーム５０と摺動部材４８とがなす角度θを、閉塞部材２０の閉塞位置（ハ）で、直角に近い角度になるようにしたので、閉塞部材２０の開放移動の初期段階および閉塞移動の最終段階で閉塞部材２０と弾性シール材１８が接触するものの、操作つまみ４３に加える力が小さくても、ガイドピン４０には閉塞部材２０を開閉する方向に大きな力が作用し、室内側開口１４の開閉を簡単に行う上で有利となる。
また、閉塞時に外気による圧力が作用しても閉塞部材２０は移動し難く、閉塞時の気密性を保つ上で有利となる。【００１９】
次に、第２の実施の形態について図８乃至図２１を参照して説明する。
第２の実施の形態の換気装置６０も第１の実施の形態と同様に窓ガラスの下部の建物躯体に設置される。
換気装置６０は、室外に連通する換気孔６２の室内側開口６４が設けられたハウジング６６と、室内側開口６４の縁に装着される弾性シール材（気密材）６８と、室内側開口６４を開閉する閉塞部材７０と、閉塞部材７０を、室内側開口６４から退避し室内側開口６４を開放する開放位置（ＯＰ）と、室内側開口６４を閉塞する閉塞位置（ＣＰ）との間で移動させるための操作機構７１を含んで構成されている。
また、操作機構７１は、閉塞部材７０を駆動する駆動機構７４と、駆動機構７４により駆動されて発生する開放位置（ＯＰ）と閉塞位置（ＣＰ）との間の閉塞部材７０の移動を案内する案内機構７５とを備えている。【００２０】
換気孔６２は、室外に開口する室外側開口を有し、室内外を連通しており、室内側開口６４は、換気のための空気を通過させることのできる開口である。
図８乃至図１０、図１３、図１４に示すように、ハウジング６６は建物の嵌め殺し窓の窓枠に組込むのに適した細長い略々直方体の形状を有している。
図８、図１３に示すように、ハウジング６６は、直方体枠状のフレーム８２と、フレーム８２の上部開口を閉塞する長方形の上板８４などを備えている。
上板８４には換気を行なうための多数のスリット８４０２が形成され、また、長手方向の中間部に開口が形成されている。
開口には枠状の化粧板８４０４が嵌め込まれている。
図１３に示すように、フレーム８２の底板８２０２は水平に延在しており、室内側開口６４はこの底板８２０２に長方形に形成されている。したがって、本実施の形態では、室内側開口６４は水平面上を延在し、換気孔６２を通り室外から室内に向かう空気は、室内側開口６４では下方から上方に流れ、室内から室外に向かう空気は、室内側開口６４では上方から下方に流れる。
室内側開口６４は、細長い長方形の形状であって長さと幅とを有しており、室内側開口６４の長手方向はハウジング６６の長手方向に一致している。
室内側開口６４を形成する２つの長辺のうち、閉塞部材７０が閉塞位置（ＣＰ）から開放位置（ＯＰ）に向かう方向における長辺の外側に位置するフレーム８２の箇所に突起８２１０が形成されている。
弾性シール材６８は底板８２０２の上方に膨出する部分を有しており、この部分は、弾性シール材６８により画成され平面Ｐ（図６参照）内を延在する口縁部６８Ａに形成され、したがって、室内側開口６４は口縁部６８Ａを有している。【００２１】
閉塞部材７０は、ハウジング６６内に配設され、細長い長方形の形状であって長さと幅とを有しており、閉塞部材７０の長手方向はハウジング６６の長手方向に一致しており、閉塞部材７０の移動方向は該閉塞部材７０の幅方向である。
図１３、図１４に示すように、閉塞部材７０は中空状で、互いに平行する上壁７００２と下壁７００４とを有している。
下壁７００４の下面は、閉塞部材７０が閉塞位置（ＣＰ）にあるときに口縁部６８Ａに密接して室内側開口６４を閉塞する平坦な密封表面７００４Ａに形成されている。
閉塞部材７０の長辺方向に間隔をおいた上壁７００２の２箇所にそれぞれガイドピン８６が突設されている。
閉塞部材７０の２つの長辺のうちの一方の長辺部分に、下壁７００４の部分が上壁７００２よりも短辺方向の外側に突出した係合突部７０１０が形成されている。
また、２つの長辺のうちの他方の長辺をなす下壁７００４の部分は、上壁７００２の部分よりも短辺方向の外側に突出しており、その下面に係合片７０６２が突設されている。【００２２】
ガイド板７６は、ハウジング６６内で閉塞部材７０の上方に室内側開口６４の短辺方向に延在しており、図９、図１０に示すように、ガイド板７６は、室内側開口６４の長辺方向に間隔をおいて２つ設けられている。
ガイド板７６に、閉塞部材７０の移動方向である室内側開口６４の短辺方向と平行する方向に長孔８８が延在形成され、この長孔８８にはガイドピン８６が長孔８８の長手方向に摺動可能に挿入されている。
ガイドピン８６が長孔８８内を摺動することで、閉塞部材７０は室内側開口６４の短辺方向に移動可能に案内される。【００２３】
駆動機構７４は、ハウジング６６に取付けられた操作ハンドルである操作レバー９０と、操作レバー９０と閉塞部材７０とを連結しているリンク機構９１とを備え、ユーザが操作レバー９０を手動操作することで閉塞部材７０が駆動されるように構成されている。
リンク機構９１は、支持板９４、リンク９６、スライド板９８、上部プレート１００、摺動部材９２、リンクアーム８９、ガイドピン８６、長孔８８を含んで構成されている。【００２４】
より詳細に説明すると、フレーム８２の長手方向の中間部に、図９乃至図１２、図１９に示すように、室内側開口６４の短辺方向に延在する支持板９４が取着されている。
支持板９４は室内側開口６４の短辺方向に沿った幅と、室内側開口６４の長辺方向に沿った長さを有している。
支持板９４の幅方向の両端の屈曲片部９４０２、９４０４がフレーム８２に取着されており、幅方向の一側にガイドピン取り付け孔９４０６が形成され、幅方向の他側にガイド溝９４０８が直線上に位置するように設けられている。
また、支持板９４の長手方向の端部に一対の屈曲片９４１０が起立され、屈曲片９４１０には支軸用孔９４１２が形成されている。【００２５】
操作レバー９０は、室内側開口６４の長手方向に沿った長辺を有する長方形に形成され、操作レバー９０は化粧板８４０４の開口８４０６の内側に配置されている。
図１５に示すように、操作レバー９０はその基部の下部の孔９００２と屈曲片９４１０の支軸用孔９４１２に挿通されたピン９００４を介して屈曲片９４１０で支持され、したがって、操作レバー９０は、ハウジング６６に揺動可能に取付けられ起立倒伏可能である。
また、操作レバー９０の長手方向中間部の下部のピン挿通孔９００４に挿通したピン９００６により操作レバー９０の長手方向中間部の下部とリンク９６の一端とが回転可能に連結されている。【００２６】
この支持板９４の上に、図１５、図１６に示すように、スライド板９８が配置され、図１１、図１２、図１７に示すように、支持板９４上でスライド板９８の上に上部プレート１００が配置される。
上部プレート１００は、図２０に示すように、室内側開口６４の短辺方向に沿った幅と、室内側開口６４の長辺方向に沿った長さを有する長方形を呈している。
上部プレート１００は、化粧板８４０４の開口８４０６内においてハウジング６６の内部を隠すためのものであり、開口８４０６よりも大きな輪郭で形成されている。
上部プレート１００は長さ方向の一端寄りに形成された第１板部１００Ａと、この第１板部１００Ａに屈曲部１００Ｂを介して連結された第２板部１００Ｃとを有し、第１板部１００Ａと第２板部１００Ｃは、板部１００Ａ、１００Ｃの厚さ方向にスライド板９８の厚さ分変位しており、かつ、互いに平行している。
第２板部１００Ｃの端部には２つの長溝１００２が形成され、第２板部１０Ｃの第１板部１０Ａ寄りの箇所には長溝１００４が延在形成されている。
上部プレート１００は、２つの長溝１００２に支持板９４の屈曲片９４１０が挿通され、第１板部１００Ａが支持板９４上に載置され、第２板部１００Ｃがスライド板９８上に載置されて配置されている。
なお、上部プレート１００は、長溝１００２に支持板９４の屈曲片９４１０が挿通されることで、室内側開口６４の長辺方向に移動不能に支持され、また、屈曲片９４１０に支軸用孔９４１２およびピン９００４を介して連結された操作レバー９０の基部が上部プレート１００の上に位置することで、また、後述するスライド板９８の連結片９８０４に連結されたリンク９６の端部が位置することで上方への抜落が阻止されて配置されている。【００２７】
スライド板９８は、図２１に示すように、支持板９４上を摺動する本体板部９８０２を有しており、本体板部９８０２は、室内側開口６４の短辺方向に沿った幅と、室内側開口６４の長辺方向に沿った長さを有している。
本体板部９８０２の長さ方向の端部寄りの箇所に、連結片９８０４が突設され、連結片９８０４の先部にピン挿通孔９８０６が形成されている。
また、本体板部９８０２の幅方向の一側に、本体板部９８０２の長さ方向に延在するガイド溝９８０８が形成されている。
また、本体板部９８０２の幅方向の他側に長さ方向に間隔をおいてガイドピン取り付け孔９８１０が２つ形成され、また、摺動部材取り付け孔９８１２が形成されている。
スライド板９８の本体板部９８０２は、支持板９４上に載置され、連結片９８０４を上部プレート１００の長溝１００４に挿通して上部プレート１００の第２板部１００Ｃの下に配置されている。
そして、連結片９８０４の先部が、ピン挿通孔９８０６に挿通したピン９８１４によりリンク９６の他端と回転可能に連結される。
ガイド溝９８０８には、図１５乃至図１７に示すように、本体板部９８０２の上方からガイドピン１０２が摺動可能に挿通され、このガイドピン１０２の下部は支持板９４のガイドピン取り付け孔９４０６に取着されている。ガイドピン１０２の頭部は、ガイド溝９８０８の幅よりも大きな寸法の直径で形成され、本体板部９８０２上に位置し、ガイドピン１０２の頭部により本体板部９８０２を上方に移動不能に支持している。
ガイドピン取り付け孔９８１０には、図１６、図１７に示すように、本体板部９８０２の上方からガイドピン１０４が挿通され、このガイドピン１０４の上部はガイドピン取り付け孔９８１０に取着され、ガイドピン１０４の下部は、支持板９４のガイド溝９４０８に摺動可能に挿通される。
したがって、操作レバー９０の起立倒伏動作によりリンク９６を介してスライド板９８が室内側開口１４の長辺と平行する方向に駆動される。【００２８】
摺動部材９２は、室内側開口６４の長辺と平行する方向に延在し、スライド板９８の本体板部９８０２の幅方向の他側上に配置されている。
図９、図１０に示すように、摺動部材９２の長手方向の中間部と本体板部９８０２とは、摺動部材取り付け孔９８１２に挿通された連結ピン１０６により連結されている。
また、摺動部材９２の長手方向の両端にそれぞれリンクアーム８９の他端がガイドピン１０８を介して回転可能に結合されている。
それらガイドピン１０８は、ガイド板７６の室内側開口６４の長辺と平行する方向に延在する長孔７６０２に摺動可能に挿通されている。
したがって、摺動部材７０はガイドピン１０８、長孔７６０２を介して室内側開口６４の長辺と平行する方向に摺動可能に支持され、すなわち、閉塞部材７０の移動方向と直交する方向に摺動可能に支持され、リンクアーム８９は、摺動部材９２とガイドピン８６とに両端が枢着され、摺動部材９２の移動に応じて閉塞部材７０を移動させる。
そして、図９、図１１に示すように、操作レバー９０が開口８４０６内に収容され上板８４と平行する倒伏位置で、室内側開口６４を閉塞する閉塞位置（ＣＰ）に閉塞部材７０を位置させ、また、図１０、図１２に示すように、操作レバー９０が斜め上方に起立した起立位置で、室内側開口６４を開放する開放位置（ＯＰ）に閉塞部材７０を位置させる。
本実施の形態では、リンクアーム８９はロッド形状に形成されて長手方向軸心を有しており、リンクアーム８９の長手方向軸心の延在方向と摺動部材７０の移動方向とがなす角度θは、閉塞部材７０が閉塞位置（ＣＰ）にあるとき直角に近い角度となり、閉塞部材７０が閉塞位置（ＣＰ）から開放位置（ＯＰ）に至るにつれて次第に小さくなる。【００２９】
案内機構７５は、第１カム面８０と、第２カム面８１と、付勢機構７８とを備えている。
第１カム面８０は、ハウジング側カム面８０Ａと閉塞部材側カム面８０Ｂとを備えている。
ハウジング側カム面８０Ａは、室内側開口６４を形成する２つの長辺のうち、閉塞部材７０が開放位置（ＯＰ）から閉塞位置（ＣＰ）に向かう方向における端部に位置する長辺の上方のフレーム８２の箇所に設けられ、平面Ｐに対して傾斜する傾斜面で形成されている。
ハウジング側カム面８０Ａは、閉塞部材７０の係合凸部７０１０に係合可能である。
閉塞部材側カム面８０Ｂは、閉塞部材７０の係合片７０６２の内面に平面Ｐに対して傾斜する傾斜面で形成されている。
閉塞部材側カム面８０Ｂは、フレーム８２の突起８２１０に係合可能である。
このように本実施の形態では、第１カム面８０により、閉塞部材７０の２つの長辺部分を案内するように構成され、室内側開口６４の開閉時における閉塞部材７０の動きの安定化が図られている。
第２カム面８１は、ガイド板７６の下面に形成され、第２カム面８１は、平面Ｐに対して平行に延在している。
そして、図１４に示すように、閉塞部材７０の上面がガイド板７６の第２カム面８１に当接した状態で、閉塞部材７０の密封表面７００４Ａと弾性シール材６８の口縁部６８Ａとの間に上下方向の間隔Ｓが確保される。
なお、第１カム面８０と第２カム面８１は、ハウジング６６と閉塞部材７０との一方に、ハウジング６６と閉塞部材７０との他方と係合可能に設けられればよく、実施の形態の構造に限定されず、従来公知の様々な係合構造が採用可能である。【００３０】
付勢機構７８は、第１カム面８０及び第２カム面８１を介して閉塞部材７０をハウジング６６に押付けるように付勢している。
より詳細に説明すると、付勢機構７８は、ガイドピン８０とコイルスプリング７８Ａを含んで構成されている。
コイルスプリング７８Ａは、各ガイドピン８０の外周でガイドピン８０の頭部とリンクアーム８９の一端との間に巻装され、ガイド板７６およびリンクアーム８９の一端に対してガイドピン８６を上方に付勢している。
そして、閉塞部材７０が閉塞位置（ＣＰ）から開放位置（ＯＰ）へ向かって移動する際の初期段階で、付勢機構７８により、閉塞部材７０の係合凸部７０１０がハウジング側カム面８０Ａに係合され、閉塞部材側カム面８０Ｂがフレーム８２の突起８２１０に係合され、その後、それらの係合が解除され、閉塞部材７０の上壁７００２の上面が第２カム面８１に当接されて開放位置（ＯＰ）に至る。
すなわち、案内機構７５は、閉塞部材７０が閉塞位置（ＣＰ）から開放位置（ＯＰ）へ移動する際に、第１カム面８０による閉塞部材７０の案内と、第２カム面８１による閉塞部材７０の案内とが、交替するように構成されている。
したがって、案内機構７５は、閉塞部材７０が駆動機構７４に駆動されて閉塞位置（ＣＰ）から開放位置（ＯＰ）へ移動するとき、閉塞部材７０が、当該開放移動の初期段階では密封表面７００４Ａと口縁部６８Ａとの間の間隔Ｓを広げつつ閉塞位置（ＣＰ）から開放位置（ＯＰ）へ向かって移動し、その後は密封表面７００４Ａと口縁部６８Ａとの間の間隔Ｓを一定に維持しつつ移動して開放位置（ＯＰ）に到達するように閉塞部材７０を案内する。【００３１】
また、閉塞部材７０が開放位置（ＯＰ）から閉塞位置（ＣＰ）へ移動する際、付勢機構７８により、閉塞部材７０の上壁７００２の上面が第２カム面８１に当接され、最終段階で、前記の当接が解除され、閉塞部材７０の係合凸部７０１０がハウジング側カム面８０Ａに係合され、閉塞部材側カム面８０Ｂがフレーム８２の突起８２１０に係合されて閉塞位置（ＣＰ）に至る。
すなわち、案内機構７５は、閉塞部材７０が開放位置（ＯＰ）から閉塞位置（ＣＰ）へ移動する際に、第１カム面８０による閉塞部材７０の案内と、第２カム面８１による閉塞部材７０の案内とが、交替するように構成されている。
したがって、案内機構７５は、閉塞部材７０が駆動機構７４に駆動されて開放位置（ＯＰ）から閉塞位置（ＣＰ）へ移動するとき、閉塞部材７０が、当該閉塞移動の最終段階に至るまでは密封表面７００４Ａと口縁部６８Ａとの間の間隔Ｓを一定に維持しつつ平面Ｐに沿って移動し、最終段階では密封表面７００４Ａと口縁部６８Ａとの間の間隔Ｓを縮小して閉塞位置（ＣＰ）に到達するように閉塞部材７０を案内する。
なお、第１カム面８０は、ハウジング６６と閉塞部材７０との一方に、ハウジング６６と閉塞部材７０との他方と係合可能に、平面Ｐに対して傾斜して延在するように設けられればよい。
また、第２カム面８１は、ハウジング６６と閉塞部材７０との一方に、ハウジング６６と閉塞部材７０との他方と係合可能に、平面Ｐに対して平行に延在するように設けられればよい。
すなわち、第１カム面８０と第２カム面８１は、ハウジング６６と閉塞部材７０との一方に、ハウジング６６と閉塞部材７０との他方と係合可能に設けられればよく、実施の形態の構造に限定されず、従来公知の様々な係合構造が採用可能である。【００３２】
第２の実施の形態によれば、操作レバー９０を揺動操作すると、図７（Ａ）、（Ｂ）に示すように、駆動機構７４および案内機構７５を介して閉塞部材７０が開放位置（ＯＰ）と閉塞位置（ＣＰ）との間で駆動される。
そして、閉塞部材７０が閉塞位置（ＣＰ）から開放位置（ＯＰ）へ移動するとき、閉塞部材７０は、当該開放移動の初期段階では密封表面７００４Ａと口縁部６８Ａとの間の間隔Ｓを広げつつ閉塞位置（ＣＰ）から開放位置（ＯＰ）へ向かって移動し、その後は密封表面７００４Ａと口縁部６８Ａとの間の間隔Ｓを一定に維持しつつ移動して開放位置（ＯＰ）に到達する。
また、閉塞部材７０が開放位置（ＯＰ）から閉塞位置（ＣＰ）へ移動するとき、閉塞部材７０が、当該閉塞移動の最終段階に至るまでは密封表面７００４Ａと口縁部６８Ａとの間の間隔Ｓを一定に維持しつつ平面Ｐに沿って移動し、最終段階では密封表面７００４Ａと口縁部６８Ａとの間の間隔Ｓを縮小して閉塞位置（ＣＰ）に到達し、密封表面７００４Ａを口縁部６８Ａに押し付ける。
したがって、閉塞部材７０を閉塞位置（ＣＰ）から開放位置（ＯＰ）へ移動させる開放操作時には、初期段階を除いて閉塞部材７０と弾性シール材６８は接触することがない。また、閉塞部材７０を開放位置（ＯＰ）から閉塞位置（ＣＰ）移動させる閉塞操作時には、最終段階を除いて閉塞部材７０と弾性シール材６８は接触することがない。
そのため、小さい力で操作レバー９０を揺動操作でき、室内側開口６４の開閉を簡単に行うことができる。
また、閉塞部材７０の移動時に、弾性シール材６８と閉塞部材７０とは常時接触することがないので、弾性シール材６８の耐久性を高める上でも有利となる。【００３３】
また、リンクアーム８９と摺動部材９２とがなす角度θを、閉塞部材７０の閉塞位置（ハ）で、直角に近い角度になるようにしたので、閉塞部材７０の開放移動の初期段階および閉塞移動の最終段階で閉塞部材７０と弾性シール材６８が接触するものの、操作レバー９０に加える力が小さくても、ガイドピン８６には閉塞部材７０を開閉する方向に大きな力が作用し、室内側開口６４の開閉を簡単に行う上で有利となる。
また、閉塞時に外気による圧力が作用しても閉塞部材７０は移動し難く、閉塞時の気密性を保つ上で有利となる。
【図面の簡単な説明】
【００３４】
【図１】建物躯体に組み込まれた第１の実施の形態の換気装置の側面図である。
【図２】（Ａ）は操作つまみを第１の回転位置にした状態のハウジング部分の平面図、（Ｂ）は閉塞部材が閉塞位置に位置した状態の操作機構、閉塞部材、室内側開口部分の平面図である。
【図３】（Ａ）は操作つまみを第２の回転位置にした状態のハウジング部分の平面図、（Ｂ）は閉塞部材が開放位置に位置した状態の操作機構、閉塞部材、室内側開口部分の平面図である。
【図４】操作つまみ部分の換気装置の側面図である。
【図５】閉塞部材が閉塞位置に位置した状態の換気装置の側面図である。
【図６】閉塞部材が開放位置に位置した状態の換気装置の側面図である。
【図７】閉塞部材の動きの説明図で、（Ａ）は閉塞部材と室内側開口の平面図、（Ｂ）は閉塞部材と室内側開口の正面図である。
【図８】建物躯体に組み込まれた第２の実施の形態の換気装置の平面図である。
【図９】閉塞部材が閉塞位置に位置した状態の操作機構、閉塞部材、室内側開口部分の平面図である。
【図１０】閉塞部材が開放位置に位置した状態の操作機構、閉塞部材、室内側開口部分の平面図である。
【図１１】倒伏位置に位置する操作レバー、支持板、上部プレート、スライド板の関係を示す正面図である。
【図１２】起立位置に位置する操作レバー、支持板、上部プレート、スライド板の関係を示す正面図である。
【図１３】閉塞部材が閉塞位置に位置した状態の換気装置の側面図ある。
【図１４】閉塞部材が開放位置に位置した状態の換気装置の側面図である。
【図１５】操作レバー、支持板、上部プレート、スライド板などの分解斜視図である。
【図１６】支持プレートの上にスライド板が載置された平面図である。
【図１７】支持プレートの上にスライド板が載置され、スライド板の上に上部プレートが載置された平面図である。
【図１８】（Ａ）は操作レバーの平面図、（Ｂ）は同正面図、（Ｃ）は同側面図である。
【図１９】（Ａ）は支持板の平面図、（Ｂ）は同正面図、（Ｃ）は同側面図である。
【図２０】（Ａ）は上部プレートの平面図、（Ｂ）は同正面図である。
【図２１】（Ａ）はスライド板の平面図、（Ｂ）は同正面図（Ｃ）は同側面図である。
【符号の説明】
【００３５】
１０、６０……換気装置、１２、６２……換気孔、１４、６４……室内側開口、１６、６６……ハウジング、１８、６８……弾性シール材、２０、７０……閉塞部材、２４、７４……駆動機構、２５、７５……案内機構、２６、７６……ガイド板、２８、７８……付勢機構、３０、８０……第１カム面、３１、８１……第２カム面。
【図１】
2009069525.tif 000003
【図２】
2009069525.tif 000004
【図３】
2009069525.tif 000005
【図４】
2009069525.tif 000006
【図５】
2009069525.tif 000007
【図６】
2009069525.tif 000008
【図７】
2009069525.tif 000009
【図８】
2009069525.tif 000010
【図９】
2009069525.tif 000011
【図１０】
2009069525.tif 000012
【図１１】
2009069525.tif 000013
【図１２】
2009069525.tif 000014
【図１３】
2009069525.tif 000015
【図１４】
2009069525.tif 000016
【図１５】
2009069525.tif 000017
【図１６】
2009069525.tif 000018
【図１７】
2009069525.tif 000019
【図１８】
2009069525.tif 000020
【図１９】
2009069525.tif 000021
【図２０】
2009069525.tif 000022
【図２１】
2009069525.tif 000023
【国際調査報告】
2009069525.tif 000024
2009069525.tif 000025